(57)【特許請求の範囲】
【請求項１】
搬送される原稿を読み取るためのプラテンガラスの上に読取位置を有する読取部と、
前記プラテンガラスの上面に対向して配置されたバックアップガイド手段と、
前記プラテンガラスと前記バックアップガイド手段の間に配置され、前記プラテンガラス側に湾曲した可撓性部材から成る案内ガイド手段と、
前記バックアップガイド手段と前記案内ガイド手段との間に形成され、前記読取位置に原稿を案内する原稿読取経路と、を備え、
前記読取位置の原稿搬送方向上流側に配置され前記案内ガイド手段の一端側を固定する支持手段と、
前記読取位置の原稿搬送方向下流側に配置され前記案内ガイド手段の他端側を該案内ガイド手段に張力を付与するように支持する張力付与手段と、
を備えたことを特徴とする自動原稿送り装置。
【請求項２】
前記可撓性部材は、透明性を有するフィルム部材により形成された請求項１に記載の自動原稿送り装置。
【請求項３】
前記張力付与手段は、前記案内ガイド手段の他端側が取付けられる取付部材と、
前記案内ガイド手段に張力を付与する方向に前記取付部材を付勢する付勢部材とからなる請求項１に記載の自動原稿送り装置。
【請求項４】
前記張力付与手段は、回転支軸を有し前記案内ガイド手段の他端側を支持する取付部材と、
この取付部材を前記案内ガイド手段に張力を付与する方向に回動させる付勢部材とからなる請求項１に記載の自動原稿送り装置。
【請求項５】
前記読取位置の原稿搬送方向上流側又は下流側に設けられ、前記案内ガイド手段の少なくとも一部を前記プラテン面と略平行に保持する保持手段を有することを特徴とする請求項１又は２に記載の自動原稿送り装置。
【請求項６】
前記読取部における読取位置に原稿を搬入する第１の搬送手段と、
前記読取位置から原稿を搬出する第２の搬送手段と、
前記読取位置において読み取られた原稿を前記第２の搬送手段に案内する排紙ガイド手段と、を備え、
前記案内ガイド手段の下流側先端は、原稿の搬送方向に沿って複数に分割して形成され、分割された前記下流側先端の一部は前記排紙ガイドの原稿案内面に延伸し、分割された前記下流側先端の他の一部は前記排紙ガイドの原稿案内面の背面側に延伸することを特徴とする請求項２に記載の自動原稿送り装置。
【請求項７】
前記張力付与手段は、前記排紙ガイドの背面側に伸延した前記下流側先端部を取り付ける取付部材と、
前記案内ガイド手段に張力を付与する方向に前記取付部材を付勢する付勢部材とから成ることを特徴とする請求項６に記載の自動原稿送り装置。
【請求項８】
搬送される原稿を読み取るためのプラテンガラスと、
前記プラテン上に原稿を搬送する搬送手段と、
前記プラテンガラス上の読取位置において原稿を読み取る光学読取手段と、
前記プラテンガラスの上面に対向して配置されたバックアップガイド手段と、
前記プラテンガラスと前記バックアップガイド手段の間に配置され、前記プラテンガラス側に湾曲した可撓性部材から成る案内ガイド手段と、
前記バックアップガイド手段と前記案内ガイド手段との間に形成され、前記読取位置に原稿を案内する原稿読取経路と、
前記読取位置の原稿搬送方向上流側に配置され前記案内ガイド手段の一端側を固定する支持手段と、
前記読取位置の原稿搬送方向下流側に配置され前記案内ガイド手段の他端側を該案内ガイド手段に張力を付与するように支持する張力付与手段と、を備えたことを特徴とする画像読取装置。
【請求項９】
前記読取位置の上流側又は下流側に設けられ、前記案内ガイド手段の少なくとも一部を前記プラテン面と略平行に保持する保持手段を有することを特徴とする請求項８に記載の画像読取装置。
【発明の詳細な説明】
【０００１】
【発明の属する技術分野】
本発明は、複写機、ファクシミリ等の画像形成装置が具備する原稿読取装置に関し、特に、原稿読取装置における原稿自動送り装置に関する。
【０００２】
【従来の技術】
画像形成装置に具備される原稿読取装置の原稿読取方式には、ベルトやローラの搬送手段によって搬送された原稿をプラテンガラス上に静止させて静止した原稿を読取光学系を走査させることにより当該原稿の画像を読み取る原稿固定読取方式と、搬送装置によって移動する原稿を所定の読取位置において静止した読取光学系で読み取るようにしたシートスルー読取方式の二種類の読取方式が、従来から一般的に知られている。
【０００３】
ここで、後者のシートスルー読取方式に係る原稿読取装置は、原稿を載置する第１のプラテンガラスとこの第１のプラテンガラスに隣接して配置された第２のプラテンガラスとを備え、第１のプラテンガラス上に載置され静止したブック物等の手置き原稿の読み取りを、ＣＣＤ等の読取手段を副走査方向（原稿搬送方向）に移動させつつ行うと共に、原稿搬送装置の給紙トレイから送られた原稿を第２のプラテンガラス上を通過させ、この通過する原稿を第２のプラテンガラスの下方に静止した読取手段によって原稿を読み取るように構成されている。
【０００４】
ところで、このようなシートスルー読取方式については、装置をコンパクト化するために第１のプラテンガラスと第２のプラテンガラスを一体化することにより、手置きの原稿読取領域内で移動される原稿を読み取るタイプの装置が提案されている。この種の装置は、例えば図８で示すように、プラテンガラス２０１上に透明なフィルム部材２０７を設け、この透明なフィルム部材２０７に沿って原稿を搬送するように構成されている。これによって、原稿を支障なくプラテンガラス２０１上に搬送でき、プラテンガラス２０１と透明なフィルム部材２０７を介して原稿を読み取ることが可能となる。
【０００５】
この透明なフィルム部材２０７は、案内ガイド２０４とプラテンガラス２０１の間に配置される。そして、案内ガイド２０４との間に湾曲した読み取り経路２０６を形成する。また、この透明なフィルムの一端２０７ａは、読取経路２０６の上流側ガイド２０８の裏側に固着され、その他端２０７ｂはフリー状態に自由になっており、読取経路２０６の下流ガイド２０９の内側に差し込まれた状態になっている。この透明なフィルム部材２０７は、例えばポリエチレンテレフタレートシート（マイラー）等の可撓性部材で構成され、この透明なフィルム部材２０７はプラテンガラス２０１の長手略全域に対向配置してプラテンガラス２０１上面に接触するように取り付けられている。
【０００６】
このような構成によって、原稿は搬入ローラ２０２にて透明なフィルム部材２０７と案内ガイド２０４との間に案内され、プラテンガラス２０１の上方を通過する。このとき、原稿はプラテンガラス２０１の下方に静止した読取手段２００によってプラテンガラス２０１と透明なフィルム部材２０７を介して原稿画像を読み取る。そして、読み取られた原稿はさらに透明なフィルム部材２０７に沿って掬い上げられて搬出ローラ２０３に導かれて排出される。
【０００７】
【発明が解決しようとする課題】
上記したポリエチレンテレフタレート等で形成されたフィルム部材は、温度や湿度等の環境変化によってその物理的特性が変化して経時的に変形してしまう。これによって、プラテンガラスとフィルム部材との接触部前後で読取経路の曲率が大きくなってしまい、原稿がスムーズに搬送できずに原稿の搬送速度や搬送方向にブレが生じて良好な画像が得られない等の問題が生じる。
【０００８】
さらに、フィルム部材の変形により、原稿の幅方向の一端側と他端側とではパス長が変わってしまうため、原稿がスキューして搬送されて適正な画像が得られないという問題が生じる。
【０００９】
本発明は、フィルム部材を変形させることなく一定の搬送経路を形成し、これにより読取位置における原稿の搬送速度と搬送方向のブレを無くして良好な読取画像を得ることを可能とする自動原稿送り装置を提供することを目的とする。
【００１０】
【課題を解決するための手段】
本発明は、上記の従来技術の課題に鑑みてなされたものであって、搬送される原稿を読み取るためのプラテンガラスの上に読取位置を有する読取部と、前記プラテンガラスの上面に対向して配置されたバックアップガイド手段と、前記プラテンガラスと前記バックアップガイド手段の間に配置され、前記プラテンガラス側に湾曲した原稿読取経路を形成する可撓性部材から成る案内ガイド手段と、前記案内ガイド手段の一端側を固定的に支持する支持手段と、前記案内ガイド手段の他端側を支持しつつ前記案内ガイド手段に張力を付与する張力付与手段とを備えたことを特徴とする自動原稿送り装置を提供するものである。
【００１１】
このように、本発明においては、透明フィルム部材に張力を与えて支持する張力付与手段を設けたので、フィルム部材が温度や湿度等の環境の変化や経時的な変化を受けることなく安定した一定の搬送経路を形成することが可能となる。
【００１２】
ここで、前記可撓性部材は、透明性を有するフィルム部材により形成され、前記張力付与手段は、前記案内ガイド手段の他端側が取付けられる取付部材と、前記案内ガイド手段に張力を付与する方向に前記取付部材を付勢する付勢部材とからなり、前記張力付与手段は、前記案内ガイド手段の他端側を支持するピボット軸を有する取付部材と、前記ピボット軸に設けられて前記取付部材を前記案内ガイド手段に張力を付与する方向に回動させる付勢部材とからなる。
【００１３】
このように、前記フィルム部材に取付部材を介して張力を付与する構成としたので、フィルム部材に均一な張力が付与でき、長期間安定的な原稿搬送を可能とする。
【００１４】
前記読取位置の原稿搬送方向上流側又は下流側に設けられ、前記案内ガイド手段の少なくとも一部を前記プラテン面と略平行に保持する保持手段を有する。
【００１５】
ここで、プラテンガラスとの間隔を規制し、かつ、読取位置前後の経路をプラテンガラス面と略平行となるように変形させたことにより、案内ガイド手段は焦点深度内に読取経路を確実に形成できる。
【００１６】
ところで、前記支持手段は、前記案内ガイド手段の前記読取部における原稿搬送方向の上流側端部を固定的に支持し、前記張力付与手段は、前記案内ガイド手段の前記読取部における原稿搬送方向の下流側端部を支持する。このように、フィルム部材の原稿搬送方向の上流側を固定し、原稿搬送方向の下流側を引っ張るように構成したことにより、原稿搬送力によってフィルム部材の位置ずれが生じない。
【００１７】
さらに、前記支持手段は、前記案内ガイド手段の前記読取部における原稿搬送方向の下流側端部を固定的に支持し、前記張力付与手段は、前記案内ガイド手段の前記読取部における原稿搬送方向の上流側端部を支持するように構成されている。これにより、前記張力付与手段の弾性によって位置ずれが生じない。
【００１８】
本装置においては、前記読取部における読取位置に原稿を搬入する第１の搬送手段と、前記読取位置から原稿を搬出する第２の搬送手段と、前記読取位置において読み取られた原稿を前記第２の搬送手段に案内する排紙ガイド手段と、を備え、前記案内ガイド手段の下流側先端は、原稿の搬送方向に沿って複数に分割して形成され、分割された前記下流側先端の一部は前記排紙ガイドの原稿案内面に延伸し、分割された前記下流側先端の他の一部は前記排紙ガイドの原稿案内面の背面側に延伸する。
【００１９】
そして、前記張力付与手段は、前記排紙ガイドの背面側に伸延した前記下流側先端の一部を取り付ける取付部材と、前記案内ガイド手段に張力を付与する方向に前記取付部材を付勢する付勢部材とからなることにより、案内ガイド部材に均一な張力が付与でき、長期間安定的な原稿搬送を可能とする。
【００２０】
さらに、本発明は、前記プラテンガラスの上面に対向して配置されたバックアップガイド手段と、前記プラテンガラスと前記バックアップガイド手段の間に配置され、前記プラテンガラス側に湾曲した原稿読取経路を形成する可撓性部材から成る案内ガイド手段と、前記案内ガイド手段の一端側を固定的に支持する支持手段と、前記案内ガイド手段の他端側を支持しつつ前記案内ガイド手段に張力を付与する張力付与手段と、を備えたことを特徴とする画像読取装置を提供するものである。
【００２１】
【発明の実施の形態】
以下、本発明に係る原稿読取装置１における自動原稿送り装置２の実施の形態例を、図面を参照しつつ詳細に説明する。
【００２２】
図１は、本発明に係る原稿読取装置１に搭載された自動原稿送り装置２を示し、図２は、その自動原稿送り装置２の主要部を示す。
【００２３】
原稿読取装置１本体は、プラテンガラス４を介してランプ等の光源５からの光を搬送される原稿に照射し、その反射光を複数のミラー６で反射させてレンズ７を介してＣＣＤなどの読取素子８により光電変換して原稿画像を読み取る。ここで、自動原稿送り装置を開閉してプラテンガラス４に載置されたブック物等の厚い原稿を光源５やミラー６などからなる光源ユニットを副走査方向に移動させることによってプラテンガラス４を介して原稿の画像を読み取るモードと、自動原稿送り装置でプラテンガラス４の上方を搬送される原稿を所定の読取位置で光源ユニットを停止させて読み取るモードとを備えている。
【００２４】
図１における本装置の実施の形態においては、２キャリッジ方式の画像読取装置の例を記載しているが、光源５、ミラー６、レンズ７、ＣＣＤ等の読取素子８が一つのキャリッジに搭載された光学読み取り手段がプラテンガラス４の下を図面の右側から左側（副走査方向）に移動しつつ原稿面の画像を読み取るように構成した１キャリッジ方式の画像読取装置に対しても、本発明を適応することが可能である。
【００２５】
自動原稿送り装置は、複数枚の原稿を載置可能な給紙トレイ１０と、読み取られた原稿を収納する排紙トレイ１１と、プラテンガラス４を押圧するためにスポンジ等の多孔質部材と白色マイラー等のフィルム部材で構成された押圧カバー１２を備えている。
【００２６】
給紙部は、給紙トレイ１０上に載置された原稿の最上位原稿に接触して繰り出す昇降自在な繰り出しローラ２１、繰り出しローラ２１で繰り出された原稿を給送する給紙ローラ２２と最上位原稿の１枚のみを通過して２枚目以降の原稿の給送を阻止する分離部材２３からなる分離手段、この分離手段で１枚に分離され給送される原稿の先端を突き当てて整合した後に下流側に送るレジストローラ対２４が配置されている。
【００２７】
これらの繰り出しローラ２１、給紙ローラ２２、レジストローラ対２４によって給紙トレイ１０上の原稿は給紙経路３０に沿って案内される。この繰り出しローラ２１、給紙ローラ２２は、給紙モータＭ１にワンウェイクラッチＯＷ１（図示せず）を介して駆動連結されており、またレジストローラ対２４はワンウェイクラッチＯＷ２（図示せず）を介して給紙モータＭ１に駆動連結されている。これにより、給紙モータＭ１の正転で繰り出しローラ２１と給紙ローラ２２を駆動し、逆転でレジストローラ対２４が駆動される。
【００２８】
排紙部には、搬出ローラ対２５からの原稿を排紙経路３１に沿って排紙トレイ１１に排紙する排紙ローラ対２６が配置されている。この排紙ローラ対２６は正逆転可能な搬送排紙モータＭ２に連結されており、両面モードの際に原稿の後端部をニップした状態で逆回転して原稿をスイッチバックして循環経路３２を介して搬送経路３５に再送するように制御される。また、排紙経路３１には送られる原稿の先端によって上方に可動して原稿を通過させ、原稿の後端が通過すると下方に可動する自重フラッパ４１が設けられており、この自重フラッパ４１は排紙ローラ２６が逆転してスイッチバックされた原稿を支障なく循環経路３２に案内する。このフラッパ４１は、常時付勢バネで下方に付勢されており、原稿が排紙経路３１に沿って排紙ローラ対２６に送られる際には排紙される原稿の先端により上方に押し上がり原稿の通過を許容し、排紙ローラ対２６にて原稿をスイッチバックする際には下方に位置して排紙経路３１を塞ぎ、循環経路３２に原稿を案内するように構成されている。
【００２９】
給紙トレイ１０の原稿給紙方向下流側には、給紙トレイ１０上に原稿が載置されたことを検出するエンプティセンサＳ１が設けられ、給紙経路３０には給紙される原稿の端部を検知するレジストセンサＳ２が設けられている。さらに、読取部の手前にはリードセンサＳ３、排紙ローラ対２６の手前には排出センサＳ４がそれぞれ設けられており、これらのセンサは送られる原稿の端部を検知する。
【００３０】
上記の各センサＳ１〜Ｓ４は、原稿の搬送を制御するためのＣＰＵ等を含む制御手段に接続されており、各センサからの検知信号に基づいて、上述した各モータＭ１、Ｍ２及び各ソレノイドＳＯＬ１（図示せず）が制御され、原稿の搬入及び搬出動作が実行される。
【００３１】
また、給紙トレイ１０には、原稿給紙方向に複数のセンサが設けられており、この複数のセンサの出力信号により給紙トレイ１０上に載置された原稿の長さが検出される。さらに、給紙トレイ１０上に載置された原稿の幅方向を規制するサイドガイド１３が設けられており、このサイドガイド１３の移動量によって出力が変化するボリューム（図示せず）から原稿の幅を検出する。この原稿の長さと原稿の幅の検出結果に基づき原稿サイズを判断する。
【００３２】
ここで、図２に基づき本実施例における原稿読取位置近傍の読取部２０の構成について説明する。
【００３３】
図２に示すように、読取部２０は、読取位置Ｘに原稿を搬送する搬入ローラ対２８（第１の搬送手段）、この搬入ローラ対２８からの原稿を読取位置Ｘに向けて案内する搬入ガイド１５、読取位置Ｘに読み取られた原稿を搬出する搬出ローラ２５（第２の搬送手段）、読取位置Ｘからの原稿を搬出ローラ２５に案内するための搬出ガイド１６、搬入ガイド１５と搬出ガイド１６との間に掛け渡され前記プラテンガラス側に湾曲した原稿読取経路を形成する可撓性の透明フィルム部材５０（案内ガイド手段）、読取位置Ｘと搬入ローラ対２８との間に設けられて透明フィルム部材５０に接触するプラテンローラ２７、プラテンローラ２７の下流に配置されて透明フィルム部材５０に接触する白色のバックアップガイド４５（ガイド部材）で構成されている。
【００３４】
また、透明フィルム部材５０とプラテンガラス４との間には白色フィルム部材４６、４７が設けられている。この白色フィルム部材４６、４７は読取位置Ｘの原稿搬送方向前後に設けられており、プラテンガラス４に手置きされた薄紙原稿が光源５の光を透過しても良好な画像を得ることができる。
【００３５】
図３は、透明フィルム部材５０と搬入ガイド１５、搬出ガイド１６の構成の斜視図を示す。
【００３６】
透明フィルム部材５０は、原稿搬送方向上流側の一端部に取付孔５０ｄが複数設けられており、この取付孔５０ｄと搬入ガイド１５に固定部として形成された突起５０ａとを係合させることによって固定支持している。また、下流側の他端部はすだれ状に複数に分割された舌部５０ｂ、５０ｃが形成されている。そして、すだれ状に分割されて隣り合う舌部５０ｂ、５０ｃの一方の舌部５０ｂは、搬出ガイド１６の原稿案内面側にフリー状態に延設されている。他方の舌部５０ｃは搬出ガイド１６の背面側に延設されており、その先端に設けられた取付孔５０ｆが後述する張力付与部材５５に支持部として形成された突起５５ａに係合されている。
【００３７】
上記したように取り付けられた透明フィルム部材５０は、搬入ガイド１５の原稿案内面から搬出ガイド１６の原稿案内面に沿って湾曲した搬送経路３５を形成しており、弾性力によりプラテンローラ２７の周面に圧接されている。
【００３８】
プラテンガラス４と透明フィルム部材５０との間には、透明フィルム部材が下方に揺動可能とする所定の距離の空間ＳＰ（０．５ｍｍ〜１．０ｍｍ）が確保される。この空間ＳＰは、自動原稿送り装置２の底面よりもプラテンガラス４側に突出するように装置フレームと一体に形成された規制部材がプラテンガラス４上面に当接し、装置フレームに固定されたプラテンローラ２７の位置を位置決めすることによって形成される。透明フィルム部材５０はプラテンローラ２７と透明フィルム部材５０の間に進入された原稿によって下方に揺動し、これによって、原稿が原稿搬送経路内をスムーズに通過することを可能としている。
【００３９】
次に、読取ガイドユニットについて詳しく説明する。上記した搬入ガイド１５、搬出ガイド１６、透明フィルム部材５０及び張力付与部材５５は、一体の読取ガイドユニット６０を構成しており、読取ガイドユニット６０は、装置フレームに対して着脱可能に取り付けられている。
【００４０】
さらに、搬入ガイド１５と搬出ガイド１６は、図３に示すように一体に樹脂形成されて読取ガイドユニット６０の骨格をなしており、その中央部に原稿を読み取るための開口部６１が形成されている。そして、この開口部６１に透明フィルム部材５０が取り付けられ、また透明フィルム部材５０を支持する張力付与部材５５が取り付けられている。
【００４１】
読取ガイドユニット６０の原稿搬送方向上流側の側部には、装置フレームに形成されたピンに嵌め込まれる切欠き部６２と装置フレームの凹部に係合して読取ガイドユニットを所定の位置に保持するための凸部が形成されたカギ状に突出した突出部６３とが形成されている。
【００４２】
読取ガイドユニット６０の着脱動作は、まず突出部６３に押圧力を与えて撓ませることによって、装置フレーム凹部と突出部６３の凸部との係合を解除して読取ガイドユニット６０を装置フレームのピンを支点として所定角度（例えば、装置フレームに対して９０度）回動させる。このとき、突出部６３は板状に樹脂形成されているので容易に撓ませることができる。
【００４３】
そして、読取ガイドユニット６０の切欠き部６２に沿って読取ガイドユニット６０を下方に引くことにより装置フレームから読取ガイドユニット６０を取り外すことができる。
【００４４】
装着する際は、上述の手順とは逆に装置フレームのピンに読取ガイドユニット６０の切欠き部６２を押し込むように嵌め込み、そして回動させることによって装置フレームの凹部と読取ガイドユニットの突出部６３の凸部を係合させ装置フレームに対し読取ガイドユニット６０が取り付けられる。
【００４５】
なお、透明フィルム部材５０の簡単な汚れを取り除くだけであれば、装置フレームの凹部と突出部６３の凸部との係合を引き抜くように解除して読取ガイドユニット６０を装置フレームのピンを支点として所定角度回動させた状態で汚れの取り除き等の清掃などのメンテナンスを行うこともできる。
【００４６】
図４は、第１実施例の張力付与部材５５の部位を拡大した概略図である。図４に基づき、張力付与部材５５について説明すると、図３の説明で述べたように張力付与部材５５は、透明フィルム部材５０の舌部５０ｃの取付孔５０ｆに係合させることで透明フィルム部材５０を固定支持する突起５５ａと、読取ガイドユニットの骨格の側部に形成されたピンに係合するための軸支孔が形成されたアーム部５５ｂが形成されている。
【００４７】
また、読取ガイドユニット６０の骨格の側部とアーム部５５ｂとの間には、張力付与部材５５を読取ガイドユニットの側部のピボット軸（回転軸）５６ｂを支点として原稿搬送方向に回動付勢する捩りコイルバネ５６が取り付けられている。
【００４８】
この捩りコイルバネ５６は、一端が張力付与部材５５のアーム部５５ｂに取り付けられ、他端が読取ガイドユニット６０の側部に取り付けられており、張力付与部材５５を回動付勢することにより透明フィルム部材５０に張力を付与する。
【００４９】
ここで、透明フィルム部材５０は、張力が付与されることによって、透明フィルム部材５０に接触するプラテンローラ２７と透明フィルム部材５０の舌部５０ｃに接触する搬出ガイド１６の上流側端部との間のたるみが解消され、プラテンローラ２７と搬出ガイド１６との間を略平行にさせる。
【００５０】
これにより、読み取る原稿の厚さが異なっても透明フィルム部材５０が透明フィルム部材５０の弾性力と張力付与部材５５の張力調整機能により透明フィルム部材５０の面がプラテンガラス４側に変位しつつプラテンローラ２７の周面に圧接されているので、搬送される原稿がジャムすることなく、原稿の先端又は後端部が読取部を通過した際に搬送速度がブレることなく安定な原稿搬送が可能となる。
【００５１】
次に、本装置における張力付与手段の第２の実施例について説明する。
【００５２】
図５は、この第２の実施例である張力付与部材５５の要部を示す。この張力付与部材５５は、透明フィルム部材５０の舌部５０ｃに取り付けられ透明フィルム部材５０を原稿搬送方向に付勢するバネ５８と、読取ガイドユニットの骨格の側部に形成されたバネ５８を係止するためのバネ係止部５７とで形成されている。
【００５３】
バネ５８は、一端が張力付与部材５５のバネ係止部５７に取り付けられ、他端が透明フィルム部材５０の舌部５０ｃに取り付けられており、バネ５８で原稿搬送方向に付勢することにより透明フィルム部材５０に張力を付与する。
【００５４】
透明フィルム部材５０の上流端側は、透明フィルム部材５０の取付孔５０ｄが搬入ガイド１５に設けられた突起５０ａで係止され固定されている。透明フィルム部材５０は、バネ５８で張力が付与されることによって、透明フィルム部材５０に接触するプラテンローラ２７と透明フィルム部材５０の舌部５０ｃに接触する搬出ガイド１６の上流側端部との間のたるみが解消され、プラテンローラ２７と搬出ガイド１６の上流側端部との間を略平行にする。これにより、原稿は、読み取る原稿の厚さが異なっても透明フィルム部材５０が透明フィルム部材５０の弾性力とバネ５８の張力調整機能により透明フィルム部材５０の面がプラテンガラス４側に変位しつつプラテンローラ２７の周面に圧接されているので原稿の安定搬送が確保されるのである。
【００５５】
次に、本装置における張力付与手段の第３の実施例について説明する。
【００５６】
図６は、この読取ガイドユニットの斜視図を示す。図７は、この第３の実施例に係る張力付与手段５５の要部を示す。透明フィルム部材５０は、原稿搬送方向上流側の一端部側に透明フィルム部材５０を上流方向に付勢するバネ５８ｂが複数取り付けられている。
【００５７】
このバネ５８ｂと搬入ガイド１５に形成されたバネ係止部５７ｂとを係合させることによって透明フィルム部材５０が原稿搬送方向上流側に付勢される。また、透明フィルム部材５０の原稿搬送方向下流側の他端部は、簾状に複数に分割された舌部５０ｂ、５０ｃが形成されている。そして、簾状に分割されて隣り合う舌部５０ｂ、５０ｃの一方の舌部５０ｂは、搬出ガイド１６の原稿案内面側にフリー状態に延設されている。他方の舌部５０ｃは搬出ガイド１６の背面側に延設されており、その先端に設けられた取付孔５０ｆが突起５５ａに係合されて固定されている。
【００５８】
透明フィルム部材５０は、バネ５８ｂにより張力が付与されることによって、透明フィルム部材５０に接触するプラテンローラ２７と透明フィルム部材５０の舌部５０ｃに接触する搬出ガイド１６の上流側端部との間のたるみが解消され、プラテンローラ２７と搬出ガイド１６の上流側端部との間を略平行にする。これにより、原稿は、読み取る原稿の厚さが異なっても透明フィルム部材５０が透明フィルム部材５０の弾性力とバネ５８ｂの張力調整機能により透明フィルム部材５０の面がプラテンガラス４側に変位しつつプラテンローラ２７の周面に圧接されるのである。
【００５９】
以上詳しく説明したように、本発明に係る自動原稿送り装置においては、搬送される原稿を読み取るためのプラテンガラスの上に読取位置を有する読取部と、前記プラテンガラスの上面に対向して配置されたガイド手段と、前記プラテンガラスと前記ガイド手段の間に配置され、前記プラテンガラス側に湾曲した原稿読取経路を形成する可撓性部材から成る案内ガイド手段と、前記案内ガイド手段の一端側を固定的に支持する支持手段と、前記案内ガイド手段の他端側を支持しつつ前記案内ガイド手段に張力を付勢する張力付与手段と、を備える。
【００６０】
これにより、本発明は、透明フィルム部材に張力を与えて支持する張力付与手段を設けたので、フィルム部材が温度や湿度等の環境の変化を受けることなく、長期間安定した特性の原稿の搬送経路を形成することが出来る。
【００６１】
さらに、フィルム部材とプラテンガラスとの間隔を規制し、読取位置前後の経路をプラテンガラス面と略平行となるように変形させたことより、案内ガイド手段は焦点深度内に読取経路を確実に形成できる。また、フィルム部材の原稿搬送方向の上流側を固定し、原稿搬送方向の下流側を引っ張るように構成したことにより、原稿搬送力によってフィルム部材の位置ずれが生じることがない。
【図面の簡単な説明】
【図１】本発明に係る、自動原稿送り装置の全体構成を示すものである。
【図２】自動原稿送り装置の主要部の図を示すものである。
【図３】読取ガイドユニットの構成の斜視図を示すものである。
【図４】第１実施例の張力付与手段の示すものである。
【図５】第２実施例の張力付与手段の主要部の概略図を示すものである。
【図６】第３実施例における読取ガイドユニットの斜視図を示す。
【図７】第３実施例の張力付与手段の主要部を示す概略図である。
【図８】従来例における、自動原稿送り装置の主要部を示すものである。
【符号の説明】
１  原稿読取装置
２  自動原稿送り装置
１０  給紙トレイ
１５  搬入ガイド
１６  搬出ガイド
２０  読取部
２１  繰り出しローラ
２５  搬出ローラ
２７  プラテンローラ
２８  搬入ローラ対
３０  給紙経路
３５  搬送経路
４５  バックアップガイド
４６  白色フィルム部材
４７  白色フィルム部材
５０  透明フィルム部材
５０ａ  突起
５０ｂ  舌部
５０ｃ  舌部
５０ｄ  取付孔
５０ｆ  取付孔
５５  張力付与部材
５５ａ  突起
５５ｂ  アーム部
５６  コイルバネ
５７  バネ係止部
５８  バネ
６０  読取ガイドユニット
６１  開口
６２  切欠き部
６３  突出部
Ｍ１  給紙モータ
【図１】
0003626944.tif 000002
【図２】
0003626944.tif 000003
【図３】
0003626944.tif 000004
【図４】
0003626944.tif 000005
【図５】
0003626944.tif 000006
【図６】
0003626944.tif 000007
【図７】
0003626944.tif 000008
【図８】
0003626944.tif 000009